(57)【要約】【課題】陰陽圧の切り替えが可能で、良好な室内環境が得られる無菌病室を提供する。【解決手段】ベッド２が設置された治療室３と、この治療室へ出入りするための出入り口３Ａを有した前室４とを具え、ベッド上の患者の空気感染を防止するための無菌病室１であって、前記ベッド２が、治療室３と前室４とを分けた隔壁５と治療室の側壁３ａとで挟まれた隅部Ａに、ベッド２の長手方向を側壁３ａに沿わせて設置され、このベッド２に対向された隔壁５および側壁３ａ以外がカーテン６で囲まれて、治療室３から仕切られた領域Ｂを形成しており、前記領域Ｂに清浄な空気を供給する給気ユニット７が隔壁５に設置され、この領域Ｂから排気する排気ユニット８が側壁３ａに設置され、両ユニット７，８の給排気流量によって領域Ｂ内が陰圧または陽圧のいずれかに設定されている。【選択図】      図１
2004159730.tif 000002
【特許請求の範囲】
【請求項１】
ベッドが設置された治療室と、この治療室へ出入りするための出入り口を有した前室とを具え、ベッド上の患者の空気感染を防止するための無菌病室であって、
前記ベッドが、治療室と前室とを分けた隔壁と治療室の側壁とで挟まれた隅部に、ベッドの長手方向を側壁に沿うようにして設置され、このベッドに対向された隔壁および側壁以外がカーテンで囲まれて、治療室から仕切られた領域を形成しており、
前記領域に清浄な空気を供給する給気ユニットが隔壁に設置され、この領域から排気する排気ユニットが側壁に設置され、両ユニットの給排気流量によって領域内が陰圧または陽圧のいずれかに設定されていることを特徴とする無菌病室。
【請求項２】
前記給気ユニットの給気流量または前記排気ユニットの排気流量を変更して、前記治療室に対して領域内を陰圧または陽圧に切替える切替え手段を具えている請求項１記載の無菌病室。
【請求項３】
前記ベッドが、前室から治療室の奧方向に向かった右側または左側のいずれかの側壁に設置されている請求項１または２記載の無菌病室。
【請求項４】
前記排気ユニットは、給気ユニットからの空気流を排気ユニット側に導く誘導ガイド板を有している請求項１ないし３のいずれかに記載の無菌病室。
【請求項５】
前記排気ユニットは、該排気ユニットに向かった空気流を排気ユニットに導くフランジ板を有している請求項１ないし４のいずれかに記載の無菌病室。
【請求項６】
前記排気ユニットの吸込み口には、該排気ユニットが吸込む気流に速度勾配を付与するための速度勾配板が設置されている請求項１ないし５のいずれかに記載の無菌病室。
【請求項７】
前記給気ユニットから排気ユニットに至る気流が、上下方向で下方流となるようにしている請求項１ないし６のいずれかに記載の無菌病室。
【請求項８】
前記治療室には、衛生設備が設置されている請求項１ないし７のいずれかに記載の無菌病室。
【発明の詳細な説明】
【０００１】
【発明の属する技術分野】
この発明は、免疫機能が不全または低下した患者、または伝染病などの患者を隔離して治療する無菌病室に関するものである。
【０００２】
【従来の技術】
近年、あらゆる分野においてグローバル化が進み、海外への渡航者や海外からの入国者が急増している。このため、疾病の疑いのある者の出入国の増加や、地球環境の温暖化による国内の気候変化によって、熱帯性伝染病の大規模な感染が懸念されている。そこで一般に、空気媒介の病原菌の拡散や感染を防止するために各種の病室が使用され、多様な提案がおこなわれている。例えば、感染症患者のためには、患者から外部への感染菌の拡散を防止するために室内を陰圧とした閉鎖型対策室があり、免疫不全症患者のためには、患者に外部からの細菌感染を防止するために室内を陽圧とした無菌病室がある。前者は、ＭＲＳＡ、結核、肝炎、その他の熱帯性伝染病疾患などの治療にも使用される。後者は、造血幹細胞、遺伝子治療や臓器の移植、再生治療、手術前後の治療にも使用される。
【０００３】
すなわち、ベッドの周囲を略気密に包囲したブースを形成し、ブース内にベッドを長手方向に挟んで、給気ユニットと排気ユニットを対向させて設置した無菌病室が知られている（例えば、特許文献１参照。）。すなわち、この無菌病室では、排気ユニットによる排気量を、給気ユニットによる供給空気量よりも大きく設定することにより、ブース内を陰圧にするようにしている。他方、気密な無菌病室の出入口に連通して気密な前室を設け、この前室に清浄空気を導入して前室内を陽圧にし、かつ無菌病室内を陰圧に保持するようにした無菌病室が知られている（例えば、特許文献２参照。）。したがって、この無菌病室によれば、外部からの空気が前室を通過して無菌病室内に侵入したり、無菌病室内から空気が前室を通過して外部に流出したりすることを阻止でき、外気に含まれる雑菌を遮断するとともに、無菌病室内から病原菌の拡散を防止している。
【０００４】
【特許文献１】
特開平７−２４１３１８号公報
【特許文献２】
特開平７−２５０８７０号公報
【０００５】
【発明が解決しようとする課題】
しかしながら、上記の無菌病室においては、陰圧または陽圧の無菌病室はそれぞれ専用に設備された病室なので、不経済であるという問題がある。すなわち、陰圧の無菌病室と、陽圧の無菌病室とは別々に設置されていた。このため、対象とする患者によっては、病室の使用が一方に片寄って、病室全体の利用効率が低下した。他方、伝染病の疑念のあるすべての患者が一旦、陰圧の無菌病室に収容して隔離され、検査によって病症名が判明してから、その病症に応じて、そのまま陰圧の無菌病室で治療を継続したり、陽圧の無菌病室に移送して治療したりしていた。このため、後者では、患者を移送する人手や手間、時間がかかり、患者自体にも負担をかけるという不都合がある。
【０００６】
他方、上記の無菌病室は、患者に対して心理的な影響が配慮されていないという不都合があった。すなわち、無菌病室は密閉環境の中に機器が配置されているので、機器が室の中央を占めたり、患者の周囲に機器の作動音が充満したりしていた。このため、患者に閉塞感、圧迫感、不快感などを与えてしまう。したがって、患者にストレスが生じて、患者の免疫力が低下してしまう。この結果、病勢に対する抵抗力や治癒能力が低下してしまうので、治療効果が充分に得られないという問題がある。特に免疫不全の患者は、免疫力が低いので、治療期間が長期化するおそれがある。
【０００７】
そこでこの発明は、前記のような従来の問題点を解決し、陰陽圧の切り替えが可能で、良好な室内環境を得ることができる無菌病室を提供することを目的とする。
【０００８】
【課題を解決するための手段】
前記目的を達成するため、請求項１の発明は、ベッドが設置された治療室と、この治療室へ出入りするための出入り口を有した前室とを具え、ベッド上の患者の空気感染を防止するための無菌病室であって、前記ベッドが、治療室と前室とを分けた隔壁と治療室の側壁とで挟まれた隅部に、ベッドの長手方向を側壁に沿うようにして設置され、このベッドに対向された隔壁および側壁以外がカーテンで囲まれて、治療室から仕切られた領域を形成しており、前記領域に清浄な空気を供給する給気ユニットが隔壁に設置され、この領域から排気する排気ユニットが側壁に設置され、両ユニットの給排気流量によって領域内が陰圧または陽圧のいずれかに設定されていることを特徴とする。
【０００９】
請求項２の発明は、請求項１において、前記給気ユニットの給気流量または前記排気ユニットの排気流量を変更して、前記治療室に対して領域内を陰圧または陽圧に切替える切替え手段を具えていることを特徴とする。
【００１０】
請求項３の発明は、請求項２において、前記ベッドが、前室から治療室の奧方向に向かった右側または左側のいずれかの側壁に設置されていることを特徴とする。
【００１１】
請求項４の発明は、請求項１ないし３のいずれかにおいて、前記排気ユニットは、該排気ユニットに向かった空気流を排気ユニットに導くフランジ板を有していることを特徴とする。
【００１２】
請求項５の発明は、請求項１ないし４のいずれかにおいて、前記排気ユニットは、給気ユニットからの空気流を排気ユニット側に導く誘導ガイド板を有していることを特徴とする。
【００１３】
請求項６の発明は、請求項１ないし５のいずれかにおいて、排気ユニットの吸込み口には、該排気ユニットが吸込む気流に速度勾配を付与するための速度勾配板が設置されていることを特徴とする。
【００１４】
請求項７の発明は、請求項１ないし６のいずれかにおいて、前記給気ユニットから排気ユニットに至る気流が、上下方向で下方流となるようにしていることを特徴とする。
【００１５】
請求項８の発明は、請求項１ないし７のいずれかにおいて、前記治療室には、衛生設備が設置されていることを特徴とする。
【００１６】
【発明の実施の形態】
この発明の実施形態を、添付図面を参照して説明する。図１は、無菌病室の全体構成を示す平面図であり、図２は、無菌病室の全体構成を示す斜視図である。
【００１７】
無菌病室１は、図１および図２に示すように、ベッド２が設置された治療室３と、この治療室３へ出入りするための出入り口である治療室扉３Ａを有した前室４とを有している。すなわち、密閉構造の部屋を隔壁５によって間仕切ることにより、治療室３と前室４とが形成されている。ベッド２は、隔壁５と治療室３の側壁３ａとで挟まれた隅部Ａに、ベッド２の長手方向が側壁３ａに沿うようにして設置されている。このベッド２の近傍の隔壁５および側壁３ａ以外がカーテン６で囲まれて、治療室３から仕切られた領域Ｂが形成されている。この領域Ｂに清浄な空気を供給する給気ユニット７が隔壁５に設置される一方、この領域Ｂから排気する排気ユニット８が側壁３ａに設置されている。
【００１８】
なお、前室４の片隅には、下駄箱１０と殺菌ロッカー１１が置かれており、患者自身または治療者や訪問者などが有した履物や外套などの衣服のように、雑菌や埃などが付着しているので治療室３に持ち込むことが好ましくないものを収納するようにしている。１２は、屋内の図示しない通路などから前室４に出入りするための前室扉であり、閉状態で前室４の気密状態を充分に確保できる構成とされている。
【００１９】
カーテン６は、ビニールなどの気密性と柔軟性を有した透明または半透明の材質で形成され、隔壁５からベッド２の側部に沿って進み、所定径のＲ半径で湾曲して側壁３ａに向かうよう設置されている。すなわち、天井には、カーテン６の経路に沿った軌跡形状を有したカーテンレール１３が設置されており、カーテン６の上端が金具などを介してカーテンレール１３に支持されて、天井から垂下されている。このため、ベッド２を囲んでカーテン６で区画した領域Ｂの気密性を確保できるようにしている。
【００２０】
すなわち、カーテンレール１３の外周側には、一定間隔を置いてエプロンカーテン１４が設置されており、エプロンカーテン１４の上端は天井に密着されて、天井から垂下されている。したがって、領域Ｂ内の陰圧または陽圧に応じて、カーテン６またはエプロンカーテン１４が他方に面状に接して両者６，１４間の塞いだり、気流が漏れ出しにくい程度に隙間を減少させることになる。この結果、領域Ｂを形成するようにカーテン６を展開した場合には、カーテン６の上側の天井付近の気密性を充分に確保した閉状態とできる。他方、カーテン６の下側は、床面に接触されていないが、床面との間に僅かな間隙を形成するようにしている。
【００２１】
給気ユニット７は、ベッド２の対応した位置で隔壁５に形成された開口に嵌め込まれて隔壁５に取り付けられている。給気ユニット７の吸気口１５は、前室４内に位置した給気ユニット７の両側面部に設けられ、前室４内の空気を取り入れるようにしている。給気ユニット７のベッド２に対向した面の全体が吹出し口１６とされ、この吹出し口１６から取り入れた空気をベッド２に向けて吹出すようにしている。吹出し口１６には、図示しない整流板が取り付けられており、この整流板には、同一径の多数の吹出し孔がパンチングにより整列して形成されている。したがって、吹出し口１６から吹き出される気流は、整流板の吹出し孔を通過して、ベッド２の長手方向に一様な速度の平行な気流が送出される。給気ユニット７は、図示しない給気ファンとＨＥＰＡフィルタとを内蔵している。したがって、給気ファンの作動により吸気口１５から吸入された前室４内の空気は、ＨＥＰＡフィルタによりろ過され清浄化されて、吹出し口１６から整流板を介して送出される。給気ファンを駆動するモータをインバータ制御することによって、給気ユニット７の給気量を設定するようにしている。インバータ制御をおこなうコントローラは、図示しないスイッチに接続されている。
【００２２】
排気ユニット８は、側壁３ａに密着してベッド２の非隔壁側の端部に対抗するように配置されている。排気ユニット８は、ベッド２に対向した面の全体が吸込み口１７とされ、この吸込み口１７にベッド２上を流れてくる気流を吸込むようにしている。排気ユニット８は、図示しない排気ファンとＨＥＰＡフィルタとを内蔵しており、排気ファンの作動で吸気したエアをＨＥＰＡフィルタでろ過するとともに、ろ過したエアを所定の配分で排出および循環利用するようにしている。すなわち、排気ユニット８は、排気ダクト口１８と循環ダクト口１９とを有し、前者の排気ダクト口１８を介してエアの約２０％の分量が換気のために屋外に排出され、後者の循環ダクト口１９を介して残余の８０％の分量が前室４内に復帰させるようにしている。このように排出するために、排気ユニット８の排気ダクト口１８には、排気ダクト２０の一端が接続され、排気ダクト２０の他端は、屋外に配置された排気口２２に接続されている。排気ダクト２０の中間には、排気ファン２０ａが設置され、排気ダクト２０の全体形状や長さにかかわらず、排気ダクト２０内のエアを排気口２２に送給できるようにしている。
【００２３】
他方、エアを循環利用するために、排気ユニット８の循環ダクト口１９には循環ダクト２１の一端が接続され、循環ダクト２１の他端は、前室４内の天井に配置されている。循環ダクト２１の中間には、循環ファン２１ａが設置され、循環ダクト２１内のエアのスムーズな流れを確保するようにしている。循環ダクト２１の他端の出口には、給気チェンバ２３が取り付けられている。給気チェンバ２３には、図示しないＨＥＰＡフィルタが内蔵され、ＨＥＰＡフィルタにより循環ダクト２１を介して送給されたエアをろ過して、前室４内に送出するようにしている。なお、上記の各ＨＥＰＡフィルタは、同一性能を有しており、ＨＥＰＡフィルタを通過する空気に含まれる粒径がＯ．３μｍ以上の微細な埃などを、９９．９９％以上の集塵率で捕捉できるフィルタ性能を有している。
【００２４】
したがって、給気ユニット７のＨＥＰＡフィルタでろ過されて前室４から領域Ｂに供給された空気は、排気ユニット８のＨＥＰＡフィルタでろ過され、給気チェンバ２３のＨＥＰＡフィルタでろ過されてから、前室４に戻され、循環利用される。この結果、ベッド２上に形成される気流により、ベッド２の患者による呼吸域の清浄度を、クリーンルーム規格でクラス１００で常時確保できる。
【００２５】
排気ユニット８の吸込み口１７は、給気ユニット７の吹出し口１６よりも下方の位置に設置され、給気ユニット７から排気ユニット８に至る気流が高低方向で下方に向かう下方流となるようしている。すなわち、例えば吹出し口１６の開口寸法が幅１１２０ｍｍで高さが１３３０ｍｍのほぼ正方形状とし、吸込み口１７が同一寸法の同一形状とすると、吹出し口１６が治療室３の床面から４７０ｍｍから１８２２ｍｍを占める高さ位置に設置され、吸込み口１７が床面から４０ｍｍから１３７０ｍｍを占める高さ位置に設置されている。他方、マットが敷かれていない状態のベッド２の上面は、床面から３５５ｍｍから６５５ｍｍまでの高さ位置で調整可能とされ、必ず吸込み口１７の開口下端の高さ位置よりも高い位置を占めるようになっている。したがって、給気ユニット７から排気ユニット８に至る気流が、上下方向で下方流とされているので、患者の呼気に含まれる感染菌を効率的に下方流に取り込んで捕捉することができる。
【００２６】
排気ユニット８には、吸込み口１７の吸入を補助するための誘導ガイド板２５と、フランジ板２６と、速度勾配板２７とが設けられている。すなわち、誘導ガイド板２５は、透明または半透明な材質で、ベッド２の幅以上の横幅を確保した長板状に形成されている。誘導ガイド板２５は、カーテン６の内側で、ベッド２の排気ユニット８側の側部と所定の間隔をおいて側部に平行となるようにして設置されており、誘導ガイド板２５の幅方向の端部が排気ユニット８の側部に接続されている。したがって、カーテン６に比べて剛性強度の高い誘導ガイド板２５によって、給気ユニット７から送られてくる気流を、排気ユニット８側に向けて向きを変えることができる。他方、排気ユニット８の吸引力によって、カーテン６自体が排気ユニット８に引き寄せられることを防止できる。このため、カーテン６が引っ張られて、カーテン６が垂下された状態から斜めの状態となり、排気ユニット８付近の気流を乱すことやカーテン６による気密性が低下することを回避できる。なお、誘導ガイド板２５は、折り畳み式にしてもよく、気流が生成されない不必要な場合には、折り畳んで収納できるので、使い勝手を向上できる。
【００２７】
フランジ板２６は、透明または半透明な材質で、排気ユニット８側に吸引されて流れてくる気流を誘導できる程度の幅、例えば約１５ｃｍ以上の横幅を確保した長板状に形成され、排気ユニット８の吸込み口１７の開口面と同一平面となるように、排気ユニット８の側部に固定されている。したがって、排気ユニット８側に流れてくる気流が、排気ユニット８を行き過ぎて排気ユニット８の側面に回り込むことを防止できる。このような気流をフランジ板２６によって排気ユニット８の前面側の吸引範囲内に留めることができるので、効率よく排気ユニット８に吸引することができる。
【００２８】
速度勾配板２７が、排気ユニット８の吸込み口１７に取り付けられている。すなわち、速度勾配板２７が無い場合には、図３（Ｃ）に示すように、吸込み口１７の付近の気流の速度が、その幅方向で均一な場合には、渦流が生じたりして、気流のスムーズな流れが乱れる。このため、ベッド２上で気流に覆われない箇所が生じるので、陰圧または陽圧を確保できても、ベッド２の一様な清浄度が充分に得られないおそれがある。そこで、図３（Ａ）に示される速度勾配板２７を、吸込み口１７に設置して、排気ユニット８が吸込む気流に速度勾配を付与するようにしている。すなわち、速度勾配板２７は、所定に配列された複数の吸入孔２７ａが形成されており、これらの吸入孔２７ａは、給気ユニット７から離れる方向、つまりベッド２の長手方向に進むに伴い開口面積が大きくなるように設定されている。
【００２９】
このため、開口面積の小さい吸入孔２７ａ付近では、吸入量が少なくなるので、吸入孔２７ａに吸込まれる気流の速度が低くなる。そして、開口面積が大きくなるに伴って吸入量が多くなるので、その吸入孔２７ａに吸込まれる気流の速度が順次高くなる。このため、排気ユニット８が吸込む気流の幅方向の速度分布を、給気ユニット７に近い側の低い速度から、給気ユニット７から離れるに従って速度が高まる速度分布とできる。換言すれば、各吸入孔２７ａによる吸引力の到達範囲を、給気ユニット７から離れるに従って大きくすることができる。
【００３０】
したがって、図３（Ｂ）に示すように、給気ユニット７から排気ユニット８に到達するまでの気流の経路を、ベッド２の長手方向に進み、次にカーテン６のＲ部に沿って大きく回りながら、直角に向きを変えて、排気ユニット８に進むように形成できる。すなわち、給気ユニット７から押出された平行な気流を、速度勾配を付与した吸引気流に接続させることができる。この結果、気流の経路が片寄ることを防止でき、気流にむらが生じることを回避できる。
【００３１】
これらの結果、ベッド２の長手方向に進んできた気流が、排気ユニット８の近傍で吸込み方向の気流となる場合には、両気流の間に乱流を生じさせずに済み、気流の高い流れ効率が確保できる。したがって、領域Ｂ内において、矢印で示すように給気ユニット７の吹出口８からベッド２上の患者の脚部から頭部に向けて清浄な空気が絶えず供給され、この空気流に患者の呼吸域が包み込まれて、患者を無菌環境状態に保持することができる。
【００３２】
なお、排気ユニット８の全排気量は、例えば２３立方ｍ／ｍｉｎの排気量に固定されて設定されている。給気ユニット７の全給気量は、給気ユニット７に接続されたスイッチの操作によって、例えば１８立方ｍ／ｍｉｎの給気量または３１立方ｍ／ｍｉｎの給気量のいずれかを択一的に選択できるようにしている。すなわち、上記のスイッチの操作によって、領域Ｂ内の状態を陰圧または陽圧状態のいずれかに切り替えることができる。
【００３３】
再び図１および図２に示すように、治療室３内には、屋外の外気を治療室３内に導入する導入ユニット２９が設置されている。すなわち、導入ユニット２９は、空調機２９ａとＨＥＰＡフィルタ２９ｂとを内蔵して、上記の領域Ｂ外の天井に設置されている。導入ユニット２９は、屋外に設置された取り入れ口３０に導入ダクトで接続され、導入ダクトの中間には外気取り入れファンが設けられている。したがって、導入ユニット２９により屋外から取り入れた新鮮空気は、空調機により調整され、次にＨＥＰＡフィルタによるろ過処理されてから、上記の領域Ｂ外の治療室３内に供給される。導入ユニット２９の外気導入流量は、例えば５立方ｍ／ｍｉｎなどのように、排気ユニット８の屋外への排出流量と同一に設定されている。したがって、導入ユニット２９による外気導入によって、治療室３内の圧力を変動させないようにしている。
【００３４】
隔壁５には、図示しない開放弁を有したバロメトリックダンパ（差圧調整器）３２が設置されている。したがって、治療室３が前室４に比べて所定に陽圧の場合には、バロメトリックダンパ３２の開放弁が開放されて、治療室３から前室４に気流が流れ、両室３，４間の差圧を自動的に解消するようにしている。
【００３５】
治療室３のベッド２が置かれていない側壁３ｂには、衛生設備が配置されている。すなわち、３４は、無菌手洗い、３５は、無菌ウオシュレット、３６は、シャワーパン３６ａとシャワーカーテン３６ｂとを有した無菌シャワーとされている。したがって、このように衛生設備が側壁３ｂの壁際に設置されているので、患者に閉塞感や圧迫感を与えることがなく、治療室３に単一の広いスペースを確保することができる。他方、これらの衛生機器３４〜３６に、給排水するための図示しない配管も側壁３ｂ側にまとめられることになり、設備工事がしやすく、配管の保守点検もおこないやすくなる。
【００３６】
次に、この無菌病室１の動作を説明する。すなわち、陰圧の無菌病室１として使用する場合には、スイッチがＬｏ位置に設定される。すると、給気ユニット７が１８立方ｍ／ｍｉｎの給気流量で、排気ユニット８が２３立方ｍ／ｍｉｎの排気流量で作動する。この結果、排気流量が給気流量を上回るので、領域Ｂが、この領域Ｂ以外の治療室３に対して陰圧状態となる。
【００３７】
他方、陽圧の無菌病室１として使用する場合には、スイッチをＨｉ位置に設定する。すると、給気ユニット７が３１立方ｍ／ｍｉｎの給気流量で、排気ユニット８が陰圧の場合と同様に２３立方ｍ／ｍｉｎの排気流量で作動する。この結果、給気流量が排気流量を上回るので、領域Ｂが、この領域Ｂ以外の治療室３に対して陽圧状態となる。
【００３８】
このように実施形態によれば、隔壁５と側壁３ａとで挟まれる隅部に設置したベッド２をカーテン６により区画し、この区画された領域Ｂ内を隔壁５に埋め込んで設置した給気ユニット７と側壁３ａに密着させて配置した排気ユニット８とによって陰圧状態または陽圧状態としたことにより、両ユニット７，８がそれぞれ部屋の一部である隔壁５や側壁３ａと一体化されているので、ベッド２上の患者に心理的な不快感を与えることを回避できる。このため、患者のストレスが軽減され、免疫力の低下を防止できる。この結果、治療効果を高めることが可能となる。なお、上記の実施形態では、排気ユニット８の排気流量が一定で、給気ユニット７の給気流量を可変に構成した例を説明したが、これに限られることなく、給気ユニット７の給気流量が一定で、排気ユニット８の排気流量を可変に構成してもよい。
【００３９】
【発明の効果】
この発明は前記のようであって、請求項１の発明によれば、ベッドの長手方向から挟むように給気ユニットと排気ユニットとを設置しないで、給気ユニットを隔壁に、排気ユニットを側壁に設置したことにより、治療室内にスペースを確保でき、ベッド上の患者にストレスを与えることを軽減できる。すなわち、排気ユニットを壁側に配置したので、治療室内に単一の広いスペースを確保できる。このため、検査や治療のための作業性を向上できる。これに加えて、治療室が屋外に面した窓を有している場合には、この窓からの自然採光を室内に行き渡らせることができるので、治療室内の雰囲気を明るくできる。
【００４０】
他方、ベッドから壁以外の方向が装置などで占められることなく、カーテンを介した視界が確保されているので、患者に圧迫感や閉塞感を与えることを解消できる。このため、患者のストレスが軽減され、患者の免疫力が低下することを回避できる。特に、免疫力が低下している免疫不全の患者に対しては好ましいものとなる。この結果、治療効果を高めることができる。給気ユニットおよび排気ユニットが、それぞれ隔壁、側壁に設置されているので、各ユニットの作動音を壁に吸収して低減できる。このため、作動音による患者のストレスも軽減させることができる。
【００４１】
請求項２の発明によれば、給気ユニットによる給気流量または排気ユニットよる排気流量を変更して、治療室に対して領域内を陰圧または陽圧に切り替えることができるので、陰圧専用または陽圧専用の無菌治療室を個別に設けることなく、必要に応じて流用することができる。このため、経済性を向上でき、患者に対する治療室の割り当てを柔軟化できる。他方、この無菌病室によれば、治療途中で、患者を陰圧から陽圧の無菌病室に移す必要が生じても、陰圧または陽圧に切り替えれば済む。このため、患者の負担を軽減でき、患者を移送する人手や手間、時間を不要とできる。
【００４２】
請求項３の発明によれば、治療室の奧方向に対して右側または左側のいずれかの側壁の近傍箇所に設置できるので、設置場所の窓やドアの位置、その他の間取り、天井のスペース、配管の位置などの建物の構造に応じて配置できる。また治療の目的、作業方法などに応じた設置方法を選ぶことができる。このため、設置場所の制約条件に柔軟に対処しながら、設置方法の選択幅を広げることができる。他方、患者が左右の一方に患部を有している場合には、ベッド上の患者に対して治療者が接近する方向を、患部に接近しやすい方向とすることができる。この結果、患者の向きや姿勢を変えることなく、患者の診療や治療などの作業をおこないやすくできる。
【００４３】
請求項４の発明によれば、排気ユニットは、給気ユニットからの空気流を排気ユニット側に導く誘導ガイド板を有しているので、カーテンに比べて剛性強度の高い誘導ガイド板によって、給気ユニットから送られてくる気流を、排気ユニット側に向けて向きを変えることができる。このため、給気ユニットから排気ユニットに至る気流がベッドのすみずみまでを覆うことになる。この結果、ベッド上の患者に清浄な空気を供給することができる。
【００４４】
請求項５の発明によれば、排気ユニットは、該排気ユニットに向かった空気流を排気ユニットに導くフランジ板を有しているので、排気ユニット側に流れてくる気流を取りこぼし無く吸引して、排気することができる。この結果、排気ユニットの排気効率を高めることができる。
【００４５】
請求項６の発明によれば、排気ユニットの吸込み口には、排気ユニットに向かう気流に速度勾配を付与するための速度勾配板が設置されているので、給気ユニットから供給された気流を、速度勾配を付与した吸引気流で吸引させることができる。このため、給気ユニットから排気ユニットに至る気流がベッドの全域を覆うことになる。すなわち、この気流をベッドの長手方向に進み、次にベッドの外周コーナーに沿って大きく回りながら、直角に向きを変えて、排気ユニットに進むように形成できる。この結果、ベッド上の患者に清浄な空気を供給することができる。
【００４６】
請求項７の発明によれば、給気ユニットから排気ユニットに至る気流が、上下方向で下方流となるようしているので、患者の呼気に含まれる感染菌を、確実に排気ユニットで捕集できる。すなわち、患者をベッド上に給気ユニット側に脚部を向け、排気ユニット側に頭部を向けた姿勢で横臥させれば、患者が咳やくしゃみした場合にも、咳やくしゃみなどによるヒューム状（煙霧状）の微粒子や感染菌を下方流で包み込みながら、下方流の流れに載せて捕捉でき、近傍の排気ユニットですみやかに捕集することができる。特に、下方に向かう下方流なので、上方に向かう咳やくしゃみなどの勢いを減殺して捕捉できる。このため、感染菌が周囲に飛散することを防止でき、隔離性能を向上できる。
【００４７】
請求項８の発明によれば、治療室に衛生設備を設置しているので、患者が治療室を離れることなく、普通の居住空間と同様な衛生状態を維持しながら入院生活することが可能となる。このように、患者を外気から隔離しながら、衛生状態を確保できるので、治療効果を高めることが可能となる。
【図面の簡単な説明】
【図１】この発明の実施形態を示し、無菌病室の全体構成を示す平面図である。
【図２】この実施形態の実施形態を示し、無菌病室の全体構成を示す斜視図である。
【図３】この実施形態の排気ユニットの速度勾配板を示し、（Ａ）は、速度勾配板の構成を示す正面図であり、（Ｂ）は、速度勾配板がある場合の気流の流れを示す平面図であり、（Ｃ）は、速度勾配板がない場合の気流の流れを示す平面図である。
【符号の説明】
１  無菌病室                        ２  ベッド
３  治療室                          ３Ａ  治療室扉
３ａ  ベッドが置かれた側の側壁      ３ｂ  衛生設備が置かれた側の側壁
４  前室                            ５  隔壁
６  カーテン                        ７  給気ユニット
８  排気ユニット                    １５  給気ユニットの吸気口
１６  給気ユニットの吹出し口        １７  排気ユニットの吸込み口
２５  誘導ガイド板                  ２６  フランジ板
２７  速度勾配板                    ２７ａ  速度勾配板の吸入孔
３４  無菌手洗い                    ３５  無菌ウオシュレット
３６  無菌シャワー                  Ａ  隅部
Ｂ  領域
【図１】
2004159730.tif 000003
【図２】
2004159730.tif 000004
【図３】
2004159730.tif 000005